(57)【要約】  【課題】一体化されたベースに対して、座、背凭れ、及び、肘掛けを含む着座者支持要素を見栄えよく且つ取付強度に優れた態様で取り付け得る構成をなした椅子を提供する。  【解決手段】四本の脚たる前脚１及び後脚２を、連結材たる前連結材３、後連結材４、左右の側連結材６を介して互いに結合して一体化したベース部Ｂを有し、ベース部Ｂの上に背凭れ７、座９、及び、左右の肘掛け８を含んだ着座者支持要素Ｙを取り付けてなる椅子Ａであり、着座者支持要素Ｙの内、背凭れ７及び左右の肘掛け８が合成樹脂を主体に作られた背肘構造体Ｋを構成したものであり、背肘構造体Ｋを構成する背凭れ７の下部及び肘掛け８の先端部にベース部Ｂへの取付部たる被挿入部が設けられている。【選択図】図１
2020049030.tif 000002
【特許請求の範囲】
【請求項１】
縦方向に延びた四本の脚を連結材を介して互いに結合して一体化したベース部を有し、このベース部の上に背凭れ、座、及び、左右の肘掛けを含んだ着座者支持要素を取り付けてなる椅子であって、
前記着座者支持要素の内、前記背凭れ及び前記左右の肘掛けが合成樹脂を主体にして一体的に作られた背肘構造体を構成したものであり、
前記背凭れの下端部及び前記肘掛けの先端部に前記ベース部への取付部がそれぞれ設けられている椅子。
【請求項２】
二本の前脚及び後脚により前記四本の脚を構成したものであり、
前記前脚及び後脚が、それぞれパイプ材により作られた前脚本体及び後脚本体を備えたものであり、
前記前脚本体及び後脚本体の上端部にそれぞれ形成された上端内径部に前記取付部を挿入し、前記ベース部と前記背肘構造体とを互いに連結している請求項１記載の椅子。
【請求項３】
前記前脚本体及び後脚本体の各上端部の外径と、前記肘掛けにおける肘掛け本体の外径及び前記背凭れにおける本体支持フレームの外径とが一致するように設定されており、前記四本の脚と前記背肘構造体とが段差なく略連続して連結されている請求項２記載の椅子。
【請求項４】
前記四本の脚における互いの水平方向の離間距離が、上端部から下端部に向かって漸次長くなるように設定されている請求項１、２又は３記載の椅子。
【請求項５】
縦方向に延びた四本の脚を連結材を介して互いに結合して一体化したベース部を有し、このベース部の上に背凭れ、座、及び、左右の肘掛けを含んだ着座者支持要素を取り付けてなる椅子であって、
前記着座者支持要素の内、前記背凭れ及び前記左右の肘掛けが合成樹脂を主体にして一体的に作られた背肘構造体を構成したものであり、
前記四本の脚の上端部に、前記背肘構造体への取付部が設けられている椅子。
【発明の詳細な説明】
【技術分野】
【０００１】
本発明は、椅子に関する。
【背景技術】
【０００２】
従来から、パイプ材を使用した椅子として、四本の脚と、これら四本の脚を構成する前脚と後脚の上端部間に架設された肘当てを有したものが知られている（例えば、特許文献１を参照）。この椅子では、四本の脚と肘当てによって一体化したベース部が構成されている。椅子は、ベース部に対して、座や背凭れを取り付け得るものとなっている。
【０００３】
ところが、このような構成の椅子では、ベース部と背凭れとの取付領域を適切かつ十分に確保し難いという不具合を有している。すなわち、ベース部は、その構造上、背凭れの取付領域を適切に確保し難いため、背凭れの取付強度を確保し難いものとなっている。
【０００４】
さらに、ベース部は、その構造からして背凭れとの取付部分の外観を好適なものとし難く、張地等により取付部分を覆い隠す必要が生ずるという問題もある。
【先行技術文献】
【特許文献】
【０００５】
【特許文献１】特開２０１０−２５９６９３号公報
【発明の概要】
【発明が解決しようとする課題】
【０００６】
本発明は、以上のような事情に着目してなされたもので、一体化されたベースに対して、座、背凭れ、及び、肘掛けを含む着座者支持要素を見栄えよく且つ取付強度に優れた態様で取り付け得る構成をなした椅子を提供することにある。
【課題を解決するための手段】
【０００７】
すなわち、本発明は次の構成をなしている。
【０００８】
請求項１に係る発明は、縦方向に延びた四本の脚を連結材を介して互いに結合して一体化したベース部を有し、このベース部の上に背凭れ、座、及び、左右の肘掛けを含んだ着座者支持要素を取り付けてなる椅子であって、前記着座者支持要素の内、前記背凭れ及び前記左右の肘掛けが合成樹脂を主体にして一体的に作られた背肘構造体を構成したものであり、前記背凭れの下端部及び前記肘掛けの先端部に前記ベース部への取付部がそれぞれ設けられている椅子である。
【０００９】
請求項２に係る発明は、二本の前脚及び後脚により前記四本の脚を構成したものであり、前記前脚及び後脚が、それぞれパイプ材により作られた前脚本体及び後脚本体を備えたものであり、前記前脚本体及び後脚本体の上端部にそれぞれ形成された上端内径部に前記取付部を挿入し、前記ベース部と前記背肘構造体とを互いに連結している請求項１記載の椅子である。
【００１０】
請求項３に係る発明は、前記前脚本体及び後脚本体の各上端部の外径と、前記肘掛けにおける肘掛け本体の外径及び前記背凭れにおける本体支持フレームの外径とが一致するように設定されており、前記四本の脚と前記背肘構造体とが段差なく略連続して連結されている請求項２記載の椅子である。
【００１１】
請求項４に係る発明は、前記四本の脚における互いの水平方向の離間距離が、上端部から下端部に向かって漸次長くなるように設定されている請求項１、２又は３記載の椅子である。
【００１２】
請求項５に係る発明は、縦方向に延びた四本の脚を連結材を介して互いに結合して一体化したベース部を有し、このベース部の上に背凭れ、座、及び、左右の肘掛けを含んだ着座者支持要素を取り付けてなる椅子であって、前記着座者支持要素の内、前記背凭れ及び前記左右の肘掛けが合成樹脂を主体にして一体的に作られた背肘構造体を構成したものであり、前記四本の脚の上端部に、前記背肘構造体への取付部が設けられている椅子である。
【発明の効果】
【００１３】
以上説明したように本発明によれば、一体化されたベースに対して、座、背凭れ、及び、肘掛けを含む着座者支持要素を見栄えよく且つ取付強度に優れた態様で取り付け得る構成をなした椅子を提供することができるものとなる。
【図面の簡単な説明】
【００１４】
【図１】本発明の一実施形態を示す斜視図。
【図２】同実施形態における右側面図。
【図３】同実施形態における正面図。
【図４】同実施形態における平面図。
【図５】同実施形態における斜視図。
【図６】同実施形態における分解斜視図。
【発明を実施するための形態】
【００１５】
以下、本発明の一実施形態を、図１〜６を参照して説明する。
【００１６】
この実施形態は、本発明を会議等において好適に使用し得る椅子Ａに適用したものである。
【００１７】
椅子Ａは、縦方向に延びた四本の脚である左右の前脚１及び左右の後脚２を連結材である前連結材３、後連結材４、及び、左右の側連結材５、６を介して互いに結合して一体化したベース部Ｂを有し、ベース部Ｂの上に背凭れ７、左右の肘掛け８、及び、座９を含んだ着座者支持要素Ｙを取り付けてなるものである。そして、着座者支持要素Ｙの内、背凭れ７、及び、左右の肘掛け８が合成樹脂を主体にして一体的に作られた背肘構造体Ｋを構成したものである。背凭れ７の下端部、及び、肘掛け８の先端部には、ベース部Ｂへの取付部たる被挿入部７３、８２が設けられている。
【００１８】
ここで、「合成樹脂を主体にしている」というのは、合成樹脂を主材料とするが、その他の材料として強度を高めるための金属材等を含んだものであってもよいという意味である。
【００１９】
以下、この椅子Ａについて詳述する。
【００２０】
前脚１は、パイプ材により作られた前脚本体１１と、前脚本体１１の下端に取り付けられたキャスタ１２とを備えたものである。前脚本体１１の上端部には、肘掛け８の先端部に設けた取付部たる被挿入部８２が挿入される上端内径部１１ａを備えている。
【００２１】
後脚２は、パイプ材により作られた後脚本体２１と、後脚本体２１の下端に取り付けられたキャスタ２２とを備えたものである。後脚本体２１の上端部には、背凭れ７の下端部に設けた取付部たる被挿入部７３が挿入される上端内径部２１ａを備えている。
【００２２】
四本の脚である左右の前脚１及び左右の後脚２における互いの水平方向の離間距離は、上端部から下端部に向かって漸次長くなるように設定されている。
【００２３】
前連結材３は、左右方向に延びたパイプ材により作られたものである。前連結材３は、左右の側連結材５、６間を繋ぐものである。前連結材３は、後連結材４と略平行に配されている。前連結材３は、後連結材４よりも前に配されている。前連結材３の左右両端部は左右の側連結材５、６に溶接されている。
【００２４】
後連結材４は、左右方向に延びたパイプ材により作られたものである。後連結材４は、左右の側連結材５、６間を繋ぐものである。後連結材４は、前連結材４と略平行に配されている。後連結材４は、前連結材３よりも後に配されている。後連結材４の左右両端部は左右の側連結材５、６に溶接されている。後連結材４は、座９を通常位置と跳ね上げ位置との間で回転可能に支持している。すなわち、後連結部４の左右方向中間部は座９の回転軸を兼ねたものとなっている。
【００２５】
左右の側連結材５、６は、前後方向に延びたパイプ材により作られたものである。左右の側連結材５、６は、前脚１と後脚２とを繋ぐものである。左右の側連結材５、６の前端部は前脚本体１１に溶接されており、左右の側連結材５、６の後端部は後脚本体２１に溶接されている。
【００２６】
背肘構造体Ｋは、背凭れ７と肘掛け８とを、合成樹脂を主体に一体的に形成されている。
【００２７】
背凭れ７は、正面視において横長矩形状をなし、板状に形成された背凭れ本体７１と、背凭れ本体７１の両側部から下方に延出した柱状の本体支持フレーム７２と、本体支持フレーム７２の下端部から下方に向けて突設された取付部たる被挿入部７３とを備えている。
【００２８】
背凭れ本体７１は、背面側から見てパイプ材の外形を有し左右の側端部及び上端部を囲うとともに左右の両下端部が本体支持フレーム７２の上端部に連続する周枠部と、この周枠部の内側に配された板状部とを備えている。被挿入部７３は、本体支持フレーム７２よりも小径に設定された柱状のものである。本体支持フレーム７２の下端から下方に延出した被挿入部７３は、上下方向に延びる凹み部７３ａが間隔を空けて複数形成されており、後脚２の上端内径部２１ａに挿入されやすく構成されている。
【００２９】
肘掛け８は、背凭れ７から前方に延出し上面が肘当てとして機能する肘掛け本体８１と、肘掛け本体８１の先端部から下方に向けて突設された取付部たる被挿入部８２とを備えている。
【００３０】
肘掛け本体８１は、基端部たる後端部が背凭れ本体７１の下端部における左右の外側面に接続している。肘掛け本体８１は、背凭れ７から前方に向かって側面視において略水平に延出する水平延出部分８１ａと、平面視において水平延出部分８１ａの先端部から内方に向けて屈曲しており、且つ、正面視及び側面視において内方に凸をなすように湾曲線を描いて下方に延びた下延出部分８１ｂとを備えている。下延出部分８１ｂの下端から下方に延出した被挿入部８２は、上下方向に延びる凹み部８２ａが間隔を空けて複数形成されており、前脚１の上端内径部１１ａに挿入されやすく構成されている。
【００３１】
座９は、合成樹脂により作られたものである。座９は、上面に着座面を形成した座本体９１と、座本体９１の下面に設けられ回転軸として機能する後連結材４の左右方向中間部を支持する軸支持部９２とを備えている。なお、座９の上面及び周縁部は、必要に応じて図示しない表皮材により被覆されるようになっている。
【００３２】
しかして、背凭れ７及び肘掛け８を一体的に構成してなる背肘構造体Ｋは、当該背肘構造体Ｋに設けた取付部たる被挿入部７３、８２を、ベース部Ｂに設けた上端内径部２１ａ、１１ａに挿入することによって、ベース部Ｂに連結し得るものとなっている。
【００３３】
また、この実施形態では、前脚本体１１における上端部の外径と、肘掛け本体８１の外径とが略一致する値に設定されており、後脚本体２１における上端部の外径と、背凭れ７の本体支持フレーム７２の外径とが略一致する値に設定されている。このため、四本の脚である左右の前脚１と左右の後脚２と背肘構造体Ｋとが接続部分において段差を生じさせることもなく外表面が略面一に連続する状態で連結されたものとのなっている。
【００３４】
なお、この実施形態の椅子Ａは、左右の前脚１と肘掛け本体８１における下延出部分８１ｂとの接続部分が、水平延出部分８１ａから下方に離れた箇所に位置している。また、左右の後脚２と背凭れ７における本体支持フレーム７２との接続部分が、座９における後端角部近傍に位置している。このため、着座者に触れる部分は、背肘構造体Ｋすなわち合成樹脂を主体に構成されたものとなっている。このため、この椅子Ａであれば、着座者は、着座時において金属等の冷たさを感じさせることがなく、また、接続部分に着座者が触れにくくなるので段差などを感じさせ難いものとなっている。
【００３５】
以上説明したように、本実施形態に係る椅子Ａは、縦方向に延びた四本の脚である左右の前脚１及び左右の後脚２を連結材である前連結材３、後連結材４、及び、左右の側連結材５、６を介して互いに結合して一体化したベース部Ｂを有している。そして、ベース部Ｂの上に、背凭れ７、左右の肘掛け８、及び座９を含んだ着座者支持要素Ｙを取り付けている。この着座者支持要素Ｙの内、背凭れ７、及び、左右の肘掛け８が合成樹脂を主体にして一体的に作られた背肘構造体Ｋを構成したものとなっている。背肘構造体Ｋを構成する背凭れ７の下端部、及び、肘掛け８の先端部にベース部Ｂへの取付部たる被挿入部７３、８２がそれぞれ設けられている。このため、一体化されたベース部Ｂに対して、座９、背凭れ７、及び、肘掛け８を含む着座者支持要素Ｙを見栄えよく且つ取付強度に優れた態様で取り付け得る構成をなした椅子Ａを提供することができるものとなる。つまり、ベース部Ｂを一体化したものとし、当該一体化したベース部Ｂに対して着座者支持要素Ｙを取り付け得る構成をなしているため、シンプルな構造でありながら剛性に優れた椅子を実現し易いものとなっている。しかも、背凭れ７と左右一対の肘掛け８が合成樹脂を主体に一体的に構成されている。このため、本実施形態における背凭れ７の両側は、従来の如く背凭れと肘掛けの各取付部や背凭れと後脚との各取付部とが集中してしまう煩雑な構造になり難く、構造をシンプル化する設計の自由度に優れたものとなっている。しかも、本実施形態に示す構成のものであれば、ベース部Ｂに対する背肘構造体Ｋの取付部分が視覚的に目立ち難いものとしやすいため、取付部分を積極的に張地やカバー等を使用して隠す必要がないものとなっている。
【００３６】
左右の前脚１及び後脚２により四本の脚を構成したものであり、前脚１及び後脚２が、それぞれパイプ材により作られた前脚本体１１及び後脚本体２１を備えたものである。そして、前脚本体１１及び後脚本体２１の上端部にそれぞれ形成された上端内径部１１ａ、２１ａに取付部たる被挿入部８２、７３を挿入し、ベース部Ｂと背肘構造体Ｋとを互いに連結している。このため、四本の脚たる二本の前脚１及び後脚２は、前後連結材３、４及び左右の連結材５、６だけでなく、背肘構造体Ｋによっても互いに連結した形態を採るものとなるため椅子Ａ全体として剛性が極めて高いものとなっている。
【００３７】
前脚本体１１及び後脚本体２１の各上端部の外径と、肘掛け８における肘掛け本体８１の外径及び背凭れ７における本体支持フレーム７２の外径とが一致するように設定されている。そして、四本の脚たる左右の前脚１及び左右の後脚２と背肘構造体Ｋとが段差なく略連続して連結されている。このため、視覚的に良好な外観を損ねやすい段差が出現することなく連続した外観を創出し、見栄えの優れたものとなっている。
【００３８】
左右の前脚１及び左右の後脚２における互いの水平方向の離間距離が、上端部から下端部に向かって漸次長くなるように設定されている。このため、背肘構造体Ｋと四本の脚１、２との接合部分すなわち背肘構造体Ｋの被挿入部７３、８２とベース部Ｂの上端内径部１１ａ、２１ａは緩やかな下拡がりになるため、ベース部Ｂに対して背肘構造体Ｋを連結した後は、背肘構造体Ｋがベース部Ｂに対して外れにくい構成をなしている。
【００３９】
なお、本発明は、以上に詳述した実施形態に限られるものではない。
【００４０】
背凭れや肘掛けの具体的形状は種々の形状を採用することができるものであり、上述した実施形態に示すものに限られるものではない。
【００４１】
四本の脚を連結する連結材の構成も種々の構成を適用し得るものであり、上述した実施形態に示すものに限られるものではない。
【００４２】
四本の脚における前脚及び後脚の下端部間を、ベースフレームにより繋いだものであってもよい。
【００４３】
パイプ材は、延伸方向の何れの箇所においても略同じ外径寸法をなしているものに限られるものではない。例えば、パイプ材は、一端から他端に向かって漸次外形寸法が大きくなるように構成されたものであってもよい。
【００４４】
四本の脚の上端部に、背肘構造体への取付部が設けられているものであってもよい。例えば、四本の脚の上端部に、当該脚よりも小径に設定された取付部である被挿入部を設けたものとし、背肘構造体における前記背凭れの下端部及び前記肘掛けの先端部に被挿入部が挿入される下端内径部を設けるように構成したものであってもよい。
【００４５】
その他、各部の具体的構成についても上記実施形態に限られるものではなく、本発明の趣旨を逸脱しない範囲で種々変形が可能である。
【符号の説明】
【００４６】
Ａ…椅子
Ｂ…ベース部
Ｙ…着座者支持要素
Ｋ…背肘構造体
１…前脚
２…後脚
７…背凭れ
８…肘掛け
【図１】
2020049030.tif 000003
【図２】
2020049030.tif 000004
【図３】
2020049030.tif 000005
【図４】
2020049030.tif 000006
【図５】
2020049030.tif 000007
【図６】
2020049030.tif 000008